(57)【要約】【課題】スペースを最小限とし、なおかつ耐震強度を確保した構造を有する蓄電池盤を提供する。【解決手段】複数の蓄電池を収納する直方体形状のケースの１つの対向する面の両端にそれぞれ少なくとも１つの支持用突起１を有する蓄電池モジュール３と、蓄電池モジュール３を収納する収納盤１０と、収納盤１０は、蓄電池モジュール３の支持用突起１に嵌合する切り欠き部１３を有する蓄電池盤。【選択図】図３
2020161464.tif 000002
【特許請求の範囲】
【請求項１】
複数の蓄電池を収納する直方体形状のケースの１つの対向する面の両端にそれぞれ少なくとも１つの支持用突起を有する蓄電池モジュールと、
前記蓄電池モジュールを収納するフレームと、
前記フレームは、前記蓄電池モジュールの支持用突起に嵌合する切り欠き部を有する蓄電池盤。
【請求項２】
前記フレームに複数の前記蓄電池モジュールを収納する請求項１に記載の蓄電池盤。
【請求項３】
前記フレームは、長手方向に曲げ加工を加えた請求項１または請求項２に記載の蓄電池盤。
【請求項４】
前記フレームは、行列方向に並ぶ前記複数の電池モジュールを固定するため、格子形状の押さえ板を備える請求項１乃至請求項３のいずれか１項に記載の蓄電池盤。
【発明の詳細な説明】
【技術分野】
【０００１】  本発明の実施形態は、蓄電池盤に関する。
【背景技術】
【０００２】  近年、電力貯蔵や動力分野において長時間稼動や高サイクル性を備えたリチウムイオン蓄電池が主流となる市場予測が立てられており、高エネルギー密度で小型化が可能な利点があることから、利用スペースが限られた分野にてリチウムイオン蓄電池を用いた小型かつ簡素構造の製品への期待が高まっている。
【先行技術文献】
【特許文献】
【０００３】
【特許文献１】特開２００４−２７３４２８号公報
【発明の概要】
【発明が解決しようとする課題】
【０００４】  従来の技術によれば、一般的なキュービクル方式を使用せず、必要最小限の構成要素を用いて、複数の蓄電池を使用可能な状態でまとめて設置可能な蓄電池装置を提案している。しかし多段化した場合に一段ごとのラックの積み重ね構造となり、固定部品点数が増加し、組立も複雑となり、装置が大型化してしまう恐れがある。【０００５】  またラックの積み重ね構造では、定置で使用する分には考慮が不要であるが、船舶や鉄道などといった動力分野で使用する場合に耐振動強度に関しても懸念が残る。【０００６】  本実施形態は、上記のような従来技術の問題点を解決するために提案されたものである。本実施形態の目的は、多段に蓄電池を配置する構成の場合にも部品点数の増加を抑え、構造機構に利用するスペースを最小限とし、なおかつ耐震強度を確保した構造を有する蓄電池盤を提供することにある。
【課題を解決するための手段】
【０００７】  上記の目的を達成するために、本実施形態に係る蓄電池盤は、複数の蓄電池を収納する直方体形状のケースの１つの対向する面の両端にそれぞれ少なくとも１つの支持用突起を有する蓄電池モジュールと、前記蓄電池モジュールを収納するフレームと、前記フレームは、前記蓄電池モジュールの支持用突起に嵌合する切り欠き部を有することを特徴とする。【０００８】  また、前記フレームに複数の前記蓄電池モジュールを収納するようにしても良い。【０００９】  また、前記フレームは、長手方向に曲げ加工を加えても良い。【００１０】  また、前記フレームは、行列方向に並ぶ前記複数の電池モジュールを固定するため、格子形状の押さえ板を備えるようにしても良い。
【図面の簡単な説明】
【００１１】
【図１】蓄電池モジュール構成図。
【図２】本発明の第１の実施形態を示す構成図。
【図３】本発明の第２の実施形態を示す構成図。
【図４】本発明の電池押さえ板にて電池固定する仕組み（その１）を示す図。
【図５】本発明の電池押さえ板にて電池固定する仕組み（その２）を示す図。
【図６】本発明の電池押さえ板にて電池固定する仕組み（その３）を示す図。
【図７】本発明の電池押さえ板にて電池固定する仕組み（その４）を示す図。
【図８】本発明の電池押さえ板にて電池固定する仕組み（その５）を示す図。
【図９】本発明の第３の実施形態を示す構成図。
【図１０】本発明の第４の実施形態を示す構成図。
【図１１】本発明の第５の実施形態を示す構成図。
【図１２】本発明の第６の実施形態を示す構成図。
【発明を実施するための形態】
【００１２】  以下、本発明に係る第１の実施形態の構成について図１、２を参照して説明する。図１は設置面に対して垂直方向に対向する面２の両端に２つ以上の支持用突起１を備えている蓄電池モジュール３の概略図である。この蓄電池モジュール３の内部には複数の蓄電池が収納されている。
【００１３】  図２は本発明の第１の実施形態を示す蓄電池盤構成を概略図で表した図である。本発明の蓄電池盤は収納盤１０（フレーム）の中に、設置面に対して並列に棚板フレーム１１が取り付けてある。また収納盤１０の奥行き側には後方蓄電池モジュール押さえ板１２が取り付けてあり、開口面５より挿入する蓄電池モジュール３の背面側突起４を、後方蓄電池モジュール押さえ板１２の切り欠き部１３に嵌合させる。蓄電池モジュール３を挿入後、押さえ板固定フレーム１４と蓄電池モジュール押さえ板１５、下部ボルト１６を半固定し、下部ボルト１６を軸に蓄電池モジュール押さえ板１５を押し上げて支持用突起１に嵌合させて固定する。
【００１４】  このような構成により、蓄電池モジュール３と収納盤１０との間のスペースが、作業者  の手が入らないほど狭い場合であっても、蓄電池モジュール３を収納盤１０に確実に固  定設置することができる。よって蓄電池盤を設置するのに省スペースで蓄電池盤を設置  することが可能となる。
【００１５】  図３は本発明の第２の実施形態を示す蓄電池盤構成を概略図で表した図である。本発明の蓄電池盤は収納盤１０の設置面に対して垂直に複数の棚板フレーム１１を取り付けている。蓄電池モジュール３を積載する数量に応じて棚板フレーム１１を設置する。蓄電池モジュール押さえ板１５で固定する分の蓄電池モジュール３を挿入後、蓄電池モジュール押さえ板１５を押し上げて支持用突起１に嵌合させて固定する。
【００１６】  しかし、複数個の蓄電池モジュール３を棚板フレーム１１に積載するために棚板フレーム長を長くする場合、棚板フレーム１１にダレが生じ、蓄電池モジュール３を積載した際に、蓄電池モジュール３前方が少し垂れ下がった状態になる。この状態で複数段の蓄電池モジュール３を蓄電池モジュール押さえ板１５で一斉に固定する場合、支持用突起１と蓄電池モジュール押さえ板１５の切り欠き部１３が嵌合せず、また蓄電池モジュール３の重量も大きいため微調整することができず、蓄電池モジュール３を容易に固定することができないという問題が生じる。
【００１７】  そこで、解決策として考案した方法を図４〜８にて説明する。図４のように蓄電池モジュール押さえ板１５の切り欠き部１３の両側角に面取り２１を加え、さらに下部ボルト固定穴２２を長穴とし、下部ボルト１６の軸に対して蓄電池モジュール押さえ板１５に可動領域を持たせる。
【００１８】  図５のように蓄電池モジュール押さえ板１５を、下部ボルト１６を軸に押し上げていく  と、一段目の蓄電池モジュール３の支持用突起１に衝突する。
【００１９】  図６のように、そのまま蓄電池モジュール押さえ板１５を押し上げると、面取り２１部分に沿って支持用突起１が押し上げられていき、そのまま押し上げ続けると、図７のように支持用突起１が切り欠き部１３に嵌合し、さらに２段目の蓄電池モジュール３０の支持用突起３１に当たり、面取り２１部分に沿って２段目の蓄電池モジュール３０が押し上げられる。
【００２０】  二段目以降、段数倍の重量が蓄電池モジュール押さえ板１５にかかることで、持ち上げることが困難になる。そこで、蓄電池モジュール押さえ板１５の下部に切り欠き部３２を加え、押さえ板固定フレーム１４の上面に引っ掛けることで接触部を支点に、２段目以降の電池モジュール郡を持ち上げることが可能となる。またそのときに軸の下部ボルト１６に対して蓄電池モジュール押さえ板１５下部を長穴とすることで、蓄電池モジュール３の支持用突起１の位置を補正しながら持ち上げる際の軸のずれを吸収することが可能となる。
【００２１】  そして図８のように、３段目以降順に棚のダレによりずれ下がった蓄電池モジュール３の支持用突起１の位置を補正しながら順に持ち上げることで、一斉に複数段の電池を固定することができる。
【００２２】  上記により、多段、多並列に蓄電池モジュール３を配置する構成の場合にも、部品点数の増加を抑え、また蓄電池モジュール３を固定する機構に使用する領域を最小限とすることで小型化し、なおかつ蓄電池モジュール３の支持用突起１ごとに固定点を持たせ、固定間隔を短くすることで耐振動強度を確保することができる。
【００２３】  その他、様々な形態への適用が可能であり、図９〜１２を例として説明する。
【００２４】  図９は本発明の第３の実施形態を示す蓄電池盤構成を概略図で表した図である。本発明の蓄電池盤は蓄電池モジュール３を実装する数量に応じて、収納盤１０に設置面に対して水平に複数の棚板フレーム１１を備えることで、本形態に適した設置環境においても適用することができる。
【００２５】  図１０は本発明の第４の実施形態を示す蓄電池盤構成を概略図で表した図である。本発明の蓄電池盤には蓄電池モジュール押さえ板１５の切り欠き部１３のある面の対向面に板金曲げ４０を追加したものを備える。これにより部品点数を増やさずに耐振動性能を高めることができる。
【００２６】  図１１は本発明の第５の実施形態を示す蓄電池盤構成を概略図で表した図である。本実施形態の蓄電池盤には後方蓄電池モジュール押さえ板１２の両端に切り欠き部１３および、切り欠き部１３の面取り２１を追加した前後方蓄電池モジュール押さえ板５０を備える。これにより蓄電池モジュール３を向かい合わせて三次元配置することができ、要求環境や要求容量特性に応じて更なる蓄電池容量を増加させることが可能となる。
【００２７】  図１２は本発明の第６の実施形態を示す蓄電池盤構成を概略図で表した図である。本発明の蓄電池盤には行列方向に並ぶ複数の蓄電池モジュール３を固定するため、格子形状の押さえ板６０を備える。これにより行列方向に並んだ蓄電池モジュール３を一度にまとめて固定することが可能となり、耐振動性能を高めることが可能となる。
【００２８】  以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２９】１、３１  支持用突起
２  蓄電池モジュールの側面
３、３０  蓄電池モジュール
４  背面側突起
５  開口面
１０  収納盤
１１  棚板フレーム
１２  後方蓄電池モジュール押さえ板
１３、３２  切り欠き部
１４  押さえ板固定フレーム
１５  蓄電池モジュール押さえ板
１６  下部ボルト
２１  面取り
２２  下部ボルト固定穴
４０  板金曲げ
５０  前後方蓄電池モジュール押さえ板
６０  格子形状の押さえ板
【図１】
2020161464.tif 000003
【図２】
2020161464.tif 000004
【図３】
2020161464.tif 000005
【図４】
2020161464.tif 000006
【図５】
2020161464.tif 000007
【図６】
2020161464.tif 000008
【図７】
2020161464.tif 000009
【図８】
2020161464.tif 000010
【図９】
2020161464.tif 000011
【図１０】
2020161464.tif 000012
【図１１】
2020161464.tif 000013
【図１２】
2020161464.tif 000014